(57)【要約】【課題】座板をはねあげて前後方向にネスティングするタイプの椅子において、ネスティングの際、手で座板の前部を持ち上げる必要がなく、かつ容易にネスティング作業できるようにする。【解決手段】座取付杆５に座板１０を揺動可能に取り付け、着座したときこの座板１０は座支持部３に載置される。この座取付杆５と座板１０の間には座板１０の前端を上方の持ち上げるよう座板１０を押圧するばね１９が設けられている。ネスティングする際上記座板１０は前端が少し上方に持ち上げられているので、椅子を前後方向に移動するだけで、座板１０の先端を手で持ち上げずにネスティングすることができる。【選択図】図４
2009136370.tif 000002
【特許請求の範囲】
【請求項１】
前脚、後脚を有する脚フレームに座支持部及び座取付杆を設け、該座取付杆に揺動可能に取り付けた座板を上記座支持部に載置して着座し、着座していない状態で上記座板の前部が上記座支持部より上方に持ち上げられた状態になるよう座板を付勢する付勢手段を上記座取付杆と該座板間に設け、該座板の下方に他の椅子の座板の後部を差し込んで前後方向に座板を重なり合う状態に組み合わせてネスティングできるようにした椅子。
【請求項２】
上記座支持部は上記座取付杆の前方に並行に設けられ、上記付勢手段はばねである請求項１に記載の椅子。
【請求項３】
上記ばねは座取付杆に突設した受片と座板の下面間に設けらている圧縮コイルばねである請求項２に記載の椅子。
【請求項４】
上記ばねは受片に固定した支持ピンの周囲に設けられている上記請求項３に記載の椅子。
【請求項５】
上記前脚の下端にはキャスターが設けられ、後脚間の間隔は前脚間に挿入可能な間隔に形成され、該後脚の下端には複数のローラーを有する接床杆が設けられている請求項１から４のいずれかに記載の椅子。
【請求項６】
上記ローラーは後脚と接床杆に差し込んだローラー軸に回転自在に挿入されている請求項５に記載の椅子。
【発明の詳細な説明】
【技術分野】
【０００１】
本発明は、前後方向にネスティングできるようにした椅子に関し、特にネスティングが容易な椅子に関する。
【背景技術】
【０００２】
椅子の前脚、後脚の下端にキャスターを取り付け、座板をはねあげて前後方向にネスティングできるようにした椅子が知られている。この種の椅子は一般にネスティングする際、椅子の座板を手で持ちあげなければならないので、ネスティング作業が面倒であり、またキャスターが自在に四方に向かってかってに動くので着座したときに不安定でかつネスティング作業もやりにいことがあった。座の後部に昇降機構を設けて座を後脚に連結し、前脚の下部間に１本のローラーを設け、人が座らないとき座の後方部が持ち上げられそのまま前後方向にネスティング可能である椅子が提案されている（例えば特許文献１参照）。しかし、この構造では座の後方部が後脚に被せたパイプや支持ピンを介して該後脚に昇降可能に支持されているので、体裁がよくなく、支持ピンや縦長孔等の作動部に指を挟んで怪我をするおそれもあり、支持ピンが動くことで前脚側のフレームが動いてしまう構造であるから、強度確保が困難になりやすい。さらに、椅子を持ち上げたとき、支持ピンを中心として前脚が回転して後脚側へ折りたたまれるおそれがあり、前脚の支持が不安定であり、かつ背凭れも上下動するから着座しにくく、壊れやすい欠点がある。また、上記１本のローラーが前脚間に設けられているので、該ローラーにより前脚間の下端が塞がれて座りにくいし、着座したとき着座者の脚がローラーにあたって邪魔になり、その上、１本の長いローラーであるから、斜め方向に移動させようとするときうまくうごかない可能性がある。
【特許文献１】特開２００３−３８２８７号公報（段落００１３、図１、図２）
【発明の開示】
【発明が解決しようとする課題】
【０００３】
本発明の解決課題は、水平方向のネスティングが容易にでき、丈夫な構造で着座感もよい椅子を提供することである。
【課題を解決するための手段】
【０００４】
本発明によれば、前脚、後脚を有する脚フレームに座支持部及び座取付杆を設け、該座取付杆に揺動可能に取り付けた座板を上記座支持部に載置して着座し、着座していない状態で上記座板の前部が上記座支持部より上方に持ち上げられた状態になるよう座板を付勢する付勢手段を上記座取付杆と該座板間に設け、該座板の下方に他の椅子の座板の後部を差し込んで前後方向に座板を重なり合う状態に組み合わせてネスティングできるようにした椅子が提供され、上記課題が解決される。
【０００５】
また、本発明によれば、上記座支持部は上記座取付杆の前方に並行に設けられ、上記付勢手段は上記座取付杆に突設した受片と座板間に設けた圧縮ばねであり、上記後脚の下端には複数のローラーを有する接床杆が設けられている上記椅子が提供され、上記課題が解決される。
【０００６】
さらに、本発明によれば、上記ローラーは上記後脚と接床杆に差し込んだローラー軸に回動可能に挿入されている上記椅子が提供され、上記課題が解決される。
【発明の効果】
【０００７】
本発明は、上記のように構成され、前脚、後脚を有する脚フレームに座支持部及び座取付杆を設け、該座取付杆に揺動可能に取り付けた座板を上記座支持部に載置して着座し、着座していない状態で上記座板の前部が上記座支持部より上方に持ち上げられた状態になるよう座板を付勢する付勢手段を上記座取付杆と該座板間に設け、該座板の下方に他の椅子の座板の後部を差し込んで前後方向に座板を重なり合う状態に組み合わせてネスティングできるようにしたので、座板は座取付杆に確実に取り付けられ、安定で壊れにくくでき、かつ座板の裏面に設けられているから、手指が挟まれるような危険性もなく、座板の前部を手で持ち上げなくてもそのまま前後方向に移動させれば座板の前部下方に他の座板の後部が入り込む状態に容易にネスティングすることができる。
【０００８】
また、上記椅子は後脚の下端に複数のローラーを有する接床杆を具備しているので、移動が安定し、斜め方向の移動にも支障がなく、着座したとき足の邪魔になるようなものはなくて着座感がよく、ネスティングも容易であり、かつこのローラーは後脚と接床杆に差し込んだローラー軸に挿入する構造であるので、該ローラー部分はねじ等の固着具を使わずに組み立てでき、経済的に製造することができる。
【発明を実施するための最良の形態】
【０００９】
図１は本発明の椅子の一実施例を示し、脚フレーム１は金属パイプ材料を略倒Ｕ字状に折り曲げ、両側の前脚２と該前脚の上端を連結し横方向に延びる座支持部３を一連に形成してある。また、該前脚２間に挿入可能な間隔をあけて対向して形成された後脚４は、中間部が横方向に延びる座取付杆５で連結され、さらに前脚側の上記座支持部３と該座取付杆５が前後方向に延びる連結杆６で連結され、上端は後方に屈曲して肘掛部７を形成しており、肘掛部７の後部両側の先端には背凭れに連設された取付部９が挿入固定されている。実施例においては、該座支持部３は該座取付杆５と並行する杆状部材で形成されているが、着座したとき座板の下面を支持できるよう脚フレームの適宜部位に座支持部を設けてもよい。
【００１０】
上記座取付杆５には座板１０が所定範囲内で揺動できるように取り付けられている。図に示す実施例では、図２に示すように側枠１１との間で上記座取付杆５を囲むよう起立片１２を対向して形成したブラケット１３を該座取付杆５に沿って、図においては２箇所設け、該ブラケット１３を座板１０の下面にねじ１４で固着し、さらにその外周をカバー１５で覆い、該カバー１５をねじ１６で座板１０に固着している。上記座取付杆５にはほぼ水平方向に延びる受片１７が固着されており、上記ブラケット１３を取り付けたとき、上記起立片１２は該受片１７の両側に位置するよう対向しており、座板１０の横移動を規制する。
【００１１】
上記座取付杆５には、上記座板１０に着座したとき、図３に示すように、上記座支持部３に座板１０が載置され、着座していないとき、図４に示すように、該座支持部３より座板１０の前部が上方に持ち上げられた状態になるよう座板１０の前端部を上方に付勢する付勢手段が設けられている。図２に示す実施例では、上記受片１７に座板１０の裏面に向けて支持ピン１８を固着し、該支持ピン１８の周囲に付勢手段として圧縮コイルばね１９を装着し、該ばね１９の一端を上記受片１７に、他端を座板１０の下面に設けたワッシャ２０に当接させて上記座板１０の前端を上方に付勢している。なお、上記支持ピン１８の先端は座板１０に形成した受孔２１に挿入され、該座板１０は該支持ピン１８の先端が受孔２１の内側縁の当たる位置まで前方が上方に持ち上げられる。このときの座板１０の角度は、ネスティングする際必要最小限の角度持ち上がっていればよく、図に示す実施例ではその角度は約２０度としてある。なお、圧縮コイルばねに替えて板ばね、引っ張りばねその他のばねを用いたり、適宜の合成ゴム、プラスチック材料、エラストマー材料等の有弾性材料を用いることもできる。
【００１２】
上記前脚２の下端にはキャスター２２が取り付けられ、後脚４の下端には複数のローラー２３を有する接床杆２４が設けられ、該ローラー２３が床面上を転動するようにしてある。該ローラー２３は、上記後脚４の下端を内方に屈曲して形成した屈曲部の先端と接床杆２４にプラスチック製のローラージョイント２５を取り付け(図５参照)、該ローラージョイント２５にローラー軸２６を差し込み、該ローラー軸２６に回転自在に挿入して取り付けられている。なお、該ローラー２３は中間部が弧状に膨らんだ略筒状に形成され、耐久性のあるプラスチック材料で作られている。
【００１３】
上記構成により座板１０は、図４に示すように、人が着座していないとき前端が少し上方に持ち上げられた状態になっているから、前後方向に上記椅子を移動させてネスティングすると、手で座板１０の前端を持ち上げなくても図６に示すように、容易に該座板が重なり合う状態に組み合わせることができ、この際後脚４がローラー２３により前後方向に移動可能に設けられているので、椅子が勝手に左右方向に移動せず、一層ネスティング作業が簡単にできる。また、着座したとき、上記座板１０は座取付杆５に確実に取り付けられ、かつ座支持部３で支持されているので、安定状態で着座することができ、壊れにくくできる。
【図面の簡単な説明】
【００１４】
【図１】本発明の一実施例を示す斜視図。
【図２】カバーを外した座板の下面を示し、座板からブラケットを分離した状態の説明図。
【図３】座板に着座した状態の一部の説明図。
【図４】人が座っていない状態の一部の説明図。
【図５】ローラー部分の断面図。
【図６】ネスティング状態の説明図。
【符号の説明】
【００１５】
１  脚フレーム
２  前脚
３  座支持部
４  後脚
５  座取付杆
６  連結杆
７  肘掛部
８  背凭れ
１０  座板
１３  ブラケット
１７  受片
１８  支持ピン
１９  ばね
２２  キャスター
２３  ローラー
２４  接床杆
【図１】
2009136370.tif 000003
【図２】
2009136370.tif 000004
【図３】
2009136370.tif 000005
【図４】
2009136370.tif 000006
【図５】
2009136370.tif 000007
【図６】
2009136370.tif 000008